(57)【要約】【課題】不使用時のパソコンを保護できるうえ、使用時には前腕受や椅子用のクッションとして使用することができ、さらに、保護カバー上にパソコンを載置して使用するとき、本体部の底面からの放熱を効果的に行うことができる保護カバーを提供する。【解決手段】クッション性と通気性に優れた三次元立体編物を素材にして、第１保護面５、第２保護面６、後保護面１１、前保護面７、左保護面９Ｌ、右保護面９Ｒを備えた保護カバーを構成する。各保護面は展開状態の三次元立体編物を縫着線１５で区分することにより形成する。前保護面７の外縁に、フラップ１８と、雌雄一対の面ファスナー１９Ｆ・１９Ｍとからなる連結片８を設ける。左右の保護面９Ｌ・９Ｒの外縁に保形片１０・１０を形成し、各保形片１０・１０を雌雄一対の面ファスナー２０Ｆ・２０Ｍで固定する。【選択図】図１
2007226738.tif 000002
【特許請求の範囲】
【請求項１】
携帯型情報処理機器の周面を覆う少なくとも４個の保護面（５・６・７・１１）と、隣接する保護面（６・７）の遊端どうしを連結する連結片（８）とを備えており、
４個の保護面（５・６・７・１１）のうち、少なくとも携帯型情報処理機器の底面全体を受け止める保護面（５）が、三次元立体編物で形成してあることを特徴とする携帯型情報処理機器用の保護カバー。
【請求項２】
四角形状の第１保護面（５）、および第２保護面（６）と、両保護面（５・６）の間に設けられる後保護面（１１）とを有し、
第１・第２の両保護面（５・６）のいずれか一方に連続して前保護面（７）が形成され、残る他方に連続して左保護面（９Ｌ）と右保護面（９Ｒ）とが形成されており、
展開状態の三次元立体編物を縫着線（１５）で区分して、第１・第２の両保護面（５・６）と、前後の両保護面（７・１１）と、左右の両保護面（９Ｌ・９Ｒ）が形成してある請求項１記載の携帯型情報処理機器用の保護カバー。
【請求項３】
第１保護面（５）に連続して前保護面（７）と連結片（８）とが形成されており、
連結片（８）が、前保護面（７）に連続するフラップ（１８）と、フラップ（１８）と第２保護面（６）の接合面の間に固定される雌雄一対の面ファスナー（１９Ｆ・１９Ｍ）とで構成されており、
第２保護面（６）の一側に連続して左保護面（９Ｌ）および保形片（１０）が形成され、第２保護面（６）の他側に連続して右保護面（９Ｒ）および保形片（１０）が形成されており、
各保形片（１０・１０）と第１保護面（５）との接合面間に、雌雄一対の面ファスナー（２０Ｆ・２０Ｍ）が固定してある請求項２記載の携帯型情報処理機器用の保護カバー。
【請求項４】
フラップ（１８）の内面と、第１保護面（５）の内面のそれぞれに雄形の面ファスナー（１９Ｍ・２０Ｍ）が縫着固定されており、
各保形片（１０）の外面と、第２保護面（６）の外面のそれぞれに雌形の面ファスナー（１９Ｆ・２０Ｆ）が縫着固定してある請求項３記載の携帯型情報処理機器用の保護カバー。
【請求項５】
後保護面（１１）、第１保護面（５）、前保護面（７）とフラップ（１８）の周縁に、１個の連続する縁テープ（２１）が縫着されており、
両保形片（１０・１０）、左右保護面（９Ｌ・９Ｒ）と第２保護面（６）の周縁に、１個の連続する縁テープ（２２）が縫着されている請求項４記載の携帯型情報処理機器用の保護カバー。
【発明の詳細な説明】
【技術分野】
【０００１】
この発明は、ノート型のパーソナルコンピュータ（以下単にパソコンと言う）に代表される携帯型情報処理機器用の保護カバーに関する。保護カバーは、パソコンを使用するときの前腕受として使用でき、さらに椅子用のクッションとして使用することができる。
【背景技術】
【０００２】
この種の保護カバーは、例えば特許文献１に見ることができる。そこでは、熱を伝動し放出する柔軟な熱伝導部材で保護カバーを構成している。詳しくは、グラファイトシート、あるいはカーボン繊維製を素材とする熱伝導シートの外面に、レザーなどの薄い外皮を積層して熱伝導部材を形成している。この熱伝導部材を長方形状に切断し、パソコンの上面、背面、および底面を覆うように保護カバーを構成している。熱伝導シートはパソコンの本体部の外表面、およびディスプレー部の外表面に密着させてあり、本体部のＣＰＵで発生した熱を熱伝導シートで拡散させ、外皮を介して周囲空間に放出する。
【０００３】
特許文献２においても同様の保護カバーが提案されているが、保護カバーの形成素材はスポンジなどの衝撃吸収材を芯材とするシート材であると推測され、上記のような放熱機能は備えていない。この発明の保護カバーは三次元立体編物を素材にして構成するが、三次元立体編物は例えば特許文献３に公知である。
【０００４】
【特許文献１】特開２０００−１０６６１号公報（段落番号００３５、図２）
【特許文献２】特開平９−３０５２６５号公報（段落番号０００６、図１）
【特許文献３】特許第２７２０９８５号公報（第２頁右欄１２〜２９行、第１図）
【発明の開示】
【発明が解決しようとする課題】
【０００５】
特許文献１の保護カバーによれば、パソコン本体部のＣＰＵで発生した熱を放出できる。しかし、保護カバーの熱伝導シートをＣＰＵの表面や集熱板に密着させる必要があるので、一般的なノート型パソコンに保護カバーを適用する場合には、効果的に放熱を行えず、保護カバーの適用対象が特殊な構造のパソコンに限られる。保護カバーの熱伝導シートを、本体部の外表面およびディスプレー部の外表面に密着させて、保護カバーをパソコンと一体化するので、本体部背面に配置される接続ポート等を利用する際に不便がある。
【０００６】
この発明の目的は、不使用時の携帯型情報処理機器を保護できるうえ、使用時には前腕受として、あるいは椅子用のクッションとして使用することができる保護カバーを提供することにある。この発明の目的は、不使用時の携帯型情報処理機器の全表面を保護でき、メーカーの違いとは無関係に全てのパソコンに適用できる保護カバーを提供することにある。この発明の目的は、保護カバーが通気性に優れた素材で形成してあり、保護カバー上にパソコンを載置して使用するとき、本体部の底面からの放熱を効果的に行うことができる、パソコンに好適な保護カバーを提供することにある。
【課題を解決するための手段】
【０００７】
この発明の保護カバーは、携帯型情報処理機器の周面を覆う少なくとも４個の保護面５・６・７・１１と、隣接する保護面６・７の遊端どうしを連結する連結片８とを備えていて、４個の保護面５・６・７・１１のうち、少なくとも携帯型情報処理機器の底面全体を受け止める保護面５が、三次元立体編物で形成してあることを特徴とする。
【０００８】
保護カバーは、四角形状の第１保護面５、および第２保護面６と、両保護面５・６の間に設けられる後保護面１１とを有し、第１・第２の両保護面５・６のいずれか一方に連続して前保護面７を形成し、残る他方に連続して左保護面９Ｌと右保護面９Ｒとを形成する。以て、展開状態の三次元立体編物を縫着線１５で区分することにより、第１・第２の両保護面５・６と、前後の両保護面７・１１と、左右の両保護面９Ｌ・９Ｒを形成する。
【０００９】
第１保護面５に連続して前保護面７と連結片８とを形成する。連結片８は、前保護面７に連続するフラップ１８と、フラップ１８と第２保護面６の接合面の間に固定される雌雄一対の面ファスナー１９Ｆ・１９Ｍとで構成する。第２保護面６の一側に連続して左保護面９Ｌおよび保形片１０を形成し、第２保護面６の他側に連続して右保護面９Ｒおよび保形片１０を形成する。各保形片１０・１０と第１保護面５との接合面間に、雌雄一対の面ファスナー２０Ｆ・２０Ｍを固定する。
【００１０】
フラップ１８の内面と、第１保護面５の内面のそれぞれに雄形の面ファスナー１９Ｍ・２０Ｍを縫着固定し、各保形片１０の外面と、第２保護面６の外面のそれぞれに雌形の面ファスナー１９Ｆ・２０Ｆを縫着固定する。
【００１１】
後保護面１１、第１保護面５、前保護面７とフラップ１８の周縁に、１個の連続する縁テープ２１を縫着する。両保形片１０・１０、左右保護面９Ｌ・９Ｒと第２保護面６の周縁に、１個の連続する縁テープ２２を縫着する。
【発明の効果】
【００１２】
この発明の保護カバーは、４個の保護面５・６・７・１１のうち、少なくともパソコン１などの底面全体を受け止める保護面５を三次元立体編物で形成するので、不使用時のパソコン１を４個の保護面５・６・７・１１で保護できるうえ、保護カバー上にパソコン１を載置して使用するとき、本体部３の底面からの放熱を、通気性に優れた三次元立体編物を介して効果的に行うことができる。
【００１３】
四角形状の第１保護面５および第２保護面６と、両保護面５・６の間に設けられる後保護面１１と、第１・第２の両保護面５・６のいずれか一方に連続して形成される前保護面７と、残る他方に連続して形成される左保護面と９Ｌ右保護面９Ｒとを備えた保護カバーによれば、不使用時のパソコン１などの全表面を保護でき、メーカーの違いとは無関係に全てのパソコン１に適用できる保護カバーが得られる。
【００１４】
さらに、展開状態の三次元立体編物を縫着線１５で区分することにより、先の保護面５・６・７・１１・９Ｌ・９Ｒを形成した保護カバーによれば、三次元立体編物の生地面を縫着するだけで、各保護面５・６・７・９Ｌ・９Ｒ・１１の形を特定し、さらに各縫着線１５に沿って各保護面５・６・７・９Ｌ・９Ｒ・１１を折り曲げて箱形状を維持することができ、他の生地を素材とする場合に比べて、立体構造の保護カバーを簡便に製造し安価に提供できる。縫着線１５の形成個所では、表裏の生地面どうしが縫い糸で引き寄せられて他の生地面より凹むので、各保護面５・６・７・９Ｌ・９Ｒ・１１の境界を明確化して折れ曲がり個所を一定にでき、展開状態の保護カバーを箱状に組み上げるための作業を簡便に行える。
【００１５】
展開状態の三次元立体編物を縫着線１５で区分して各保護面５・６・７・１１・９Ｌ・９Ｒを形成した保護カバーによれば、三次元立体編物のクッション性と通気性のよさとを利用してクッション材として使用することができ、例えば図６に示すように保護カバーを展開した状態で椅子用のクッションとして使用することができ、あるいは図５に示すように肘部分や前腕部分を受けるクッションとして使用することができる。
【００１６】
前保護面７に連続するフラップ１８と、フラップ１８と第２保護面６の接合面の間に固定される雌雄一対の面ファスナー１９Ｆ・１９Ｍとで連結片８を構成し、左右の保護面９Ｌ・９Ｒに連続する保形片１０・１０と第１保護面５との接合面間に、雌雄一対の面ファスナー２０Ｆ・２０Ｍを固定した保護カバーによれば、左右の保形片１０・１０を第１保護面５に止め付け、さらに連結片８を第２保護面６に止め付けるだけで保護カバーを箱状に組むことができ、例えば雌雄一対のスナップやボタンを利用して連結片８や保形片１０を止め付ける場合に比べて、より少ない手間で保護カバーをパソコン１に装着することができる。三次元立体編物からなる保護カバーは、箱状に組んだ状態のままで洗濯できるので、常に衛生的な状態を維持できる利点もある。
【００１７】
保護カバーを椅子用のクッションとして使用する場合には、雄型の面ファスナーが衣服に絡んで服生地を傷めるおそれがある。しかし、フラップ１８の内面と、第１保護面５の内面のそれぞれに雄形の面ファスナー１９Ｍ・２０Ｍを縫着固定し、各保形片１０の外面と、第２保護面６の外面のそれぞれに雌形の面ファスナー１９Ｆ・２０Ｆを縫着固定しておけば、雌形の面ファスナー１９Ｆ・２０Ｆが縫着してある側を表にして、カバー本体４を椅子に被せ付けることにより、雄形の面ファスナー１９Ｍ・２０Ｍが衣服に絡むのを確実に解消できる。通気性に優れる三次元立体編物からなる保護カバーは、衣服に吸収された汗の乾燥を促進して、衣服がべたつくのを解消できる。
【００１８】
後保護面１１、第１保護面５、前保護面７とフラップ１８の周縁に、１個の連続する縁テープ２１を縫着し、両保形片１０・１０、左右保護面９Ｌ・９Ｒと第２保護面６の周縁に、１個の連続する縁テープ２２を縫着した保護カバーによれば、各縁テープ２１・２２の縫着形状が単純化されるので、テープ２１・２２の縫着作業を簡便に行え、その分だけ保護カバーの製造コストを削減できる。因みに、保護カバーの周縁全体に１個の連続する縁テープを連続して縫着する場合には、保護カバーの周縁の内隅部分で縁テープを直角に折り曲げながら縫着する必要があり、その分だけ余分な手間が掛かるのを避けられない。
【発明を実施するための最良の形態】
【００１９】
（実施例）  図１ないし図７はこの発明に係るパソコン用の保護カバーの実施例を示す。図１において、保護カバーは三次元立体編物と、面ファスナーと、縁テープ等を素材にして薄い角箱状に構成してある。詳しくは、パソコン１の表示部２の表面を覆う四角形状の第１保護面５と、パソコン１の本体部３の底面を覆う第２保護面６と、第１保護面５の長辺部に連続する前保護面７および連結片８と、第２保護面６の一方の短辺部に連続する左保護面９Ｌおよび保形片１０と、第２保護面６の他方の短辺部に連続する右保護面９Ｒおよび保形片１０と、第１・第２の両保護面５・６の間に設けられる後保護面１１とでカバー本体４を構成する。第１保護面５と第２保護面６は同形同大に形成する。
【００２０】
図２に示すように上記の各保護面５・６・７・９Ｌ・９Ｒ・１１と、連結片８と、保形片１０・１０とは、展開形状がＴ字状の三次元立体編物を縫着線１５で区分して形成する。図４に示すように三次元立体編物は、表編地１６ａと裏編地１６ｂとを筋交い状の連結糸１６ｃで一体化して形成してあり、自由状態における生地厚みは１０mmであるが、その生地面を縫着することにより、表裏の編生地１６ａ・１６ｂどうしが縫い糸で引き寄せられて、縫着線１５の形成個所が他の生地面より凹み曲がりやすくなる。そのため、各保護面５・６・７・９Ｌ・９Ｒ・１１や連結片８、および保形片１０・１０は、縫着線１５によって形が特定され、縫着線１５に沿って折れ曲がることにより箱形状を維持することができる。
【００２１】
因みに、通常の織生地を同様に縫着したとしても、縫着線で区分された生地面の折れ曲がり位置を特定することはできない。つまり厚みがある三次元立体編物を素材として、その生地面に縫着線１５を形成することにより、各保護面や連結片などを簡便に形成することができ、その分だけカバー本体４をより低コストで形成できる。
【００２２】
連結片８は、前保護面７に連続するフラップ１８と、フラップ１８の内面と第２保護面６の外面に縫着される雌雄一対の面ファスナー１９Ｆ・１９Ｍとで構成する。第２保護面６に連続する左右の保形片１０・１０の外面と、第１保護面５の内面両側には、雌雄一対の面ファスナー２０Ｆ・２０Ｍを縫着する。この後、後保護面１１、第１保護面５、前保護面７とフラップ１８の周縁に、１個の連続する縁テープ２１を縫着し、さらに、両保形片１０・１０、左右の保護面９Ｌ・９Ｒ、および第２保護面６の周縁に、１個の連続する縁テープ２２を縫着してカバー本体４を完成する。このようにカバー本体４の周縁に、２本の縁テープ２１・２２を分けて縫着すると、各縁テープ２１・２２の縫着作業を簡便に行える。
【００２３】
保護カバーを使用するときは、図１および図３に示すようにカバー本体４の第２保護面６にパソコン１を載置したのち、左右の保護面９Ｌ・９Ｒを起立させて両保形片１０・１０を表示部２の上面に密着させ、その状態のままで第１保護面５を表示部２の外面に被せ付けて、第１保護面５と保形片１０・１０を面ファスナー２０Ｆ・２０Ｍで固定する。さらに連結片８を第２保護面６の側へ被せ付けて、両者６・８を面ファスナー１９Ｆ・１９Ｍで固定する。以上により、パソコン１の表面の全体を覆う、角箱状の保護カバーが得られる。このように保護カバーで覆われたパソコン１に他物が当るときの衝撃は、各保護面や連結片などが弾性変形することで緩和吸収されるので、パソコン１が傷付き、あるいは変形するのをよく防止できる。
【００２４】
三次元立体編物はクッション性と通気性に富み、大きな弾性復元力がある。そのため、図５に示すようにカバー本体４をＴ字状に展開し、その第１保護面５の内面にパソコン１を載置して使用する場合には、本体部３の底面からの放熱を第１保護面５で効果的に行うことができる。さらに、左右に張り出された左保護面９Ｌおよび保形片１０と、右保護面９Ｒおよび保形片１０とを、使用者の肘や前腕部分のクッションとして機能させることができるので、長時間にわたってパソコン１を使用する場合の肘および前腕部分の疲れを軽減できる。併せて肘や前腕部分が汗ばむのを防止できる。
【００２５】
カバー本体４は、パソコン１の保護カバーとして使用する以外に、図６に示すように椅子用のクッションとして使用することができる。その場合には、カバー本体４をＴ字状に展開し、第２保護面６を座部に、第１保護面５を背もたれに被せ付けるが、場合によっては雄型の面ファスナーが衣服に絡んで服生地を傷めるおそれがある。
【００２６】
上記のような不具合を避けるために、フラップ１８の内面（パソコン１に接触する側）と、第１保護面５の内面のそれぞれに雄形の面ファスナー１９Ｍ・２０Ｍを縫着固定し、各保形片１０の外面と、第２保護面６の外面のそれぞれに雌形の面ファスナー１９Ｆ・２０Ｆを縫着固定している。このように雌形の面ファスナー１９Ｆ・２０Ｆが縫着してある側を表にして、カバー本体４を椅子に被せ付けることにより、椅子用のクッションとして使用する場合に面ファスナーが衣服に絡むのを確実に解消できる。保護カバーは、衣服に吸収された汗の乾燥を促進して、衣服がべたつくのを解消することにも役立つ。
【００２７】
保護カバーはＴ字状に展開する以外に、図７に示すように四角形状に折り畳んだ状態のクッションとして使用することができる。その場合には、左保護面９Ｌおよび保形片１０と右保護面９Ｒおよび保形片１０とを第２保護面６の内面に折り畳んだうえで、その外面に第１保護面５を被せ付け、面ファスナー１９Ｆ・１９Ｍを止着して連結片８を第２保護面６に固定する。この状態の保護カバーを、椅子の座面や背もたれにあてがった状態で使用することにより、展開状態で使用する保護カバーに比べて、沈み込み量が大きなクッション性を発揮できる。
【００２８】
上記の実施例では、第１保護面５の長辺部に連続して前保護面７および連結片８を設け、第２保護面６の左右の短辺部に左右の保護面９Ｌ・９Ｒおよび保形片１０を設けたがその必要はなく、第２保護面６の長辺部に連続して前保護面７および連結片８を設けることができる。また、第１保護面５の左右の短辺部に左右の保護面９Ｌ・９Ｒおよび保形片１０を設けることができる。必要があれば、手提げ用のストラップや、肩掛け用のストラップをカバー本体４に設けることができる。三次元立体編物の厚み寸法は必要に応じて大小に変更できるので、実施例で説明した厚み寸法には限定しない。
【００２９】
カバー本体４は、パソコン１の周面を覆う少なくとも４個の保護面５・６・７・１１と、隣接する保護面６・７の遊端どうしを連結する連結片８とで構成することができる。その場合には、第１保護面５と第２保護面６との側縁どうしを舌片状の連結片で接続して、カバー本体４がパソコン１から分離しようとするのを防止するとよい。必要があれば、パソコン１が載置される保護面のみを三次元立体編物で形成し、他の保護面を生地やシートで形成することができる。この発明における携帯型情報処理機器としては、パソコン以外に電子手帳やゲーム機などを含む。
【図面の簡単な説明】
【００３０】
【図１】保護カバーの展開斜視図である。
【図２】保護カバーの展開図である。
【図３】使用状態における保護カバーの縦断側面図である。
【図４】三次元立体編物の縫着部とその周辺部の構造を示す断面図である。
【図５】保護カバーの使用例を示す斜視図である。
【図６】クッションとして使用する場合の保護カバーの斜視図である。
【図７】別の形態のクッションとして使用する場合の保護カバーの斜視図である。
【符号の説明】
【００３１】
４  カバー本体
５  第１保護面
６  第２保護面
７  前保護面
８  連結片
９Ｒ  右保護面
９Ｌ  左保護面
１０  保形片
１１  後保護面
１５  縫着線
【図１】
2007226738.tif 000003
【図２】
2007226738.tif 000004
【図３】
2007226738.tif 000005
【図４】
2007226738.tif 000006
【図５】
2007226738.tif 000007
【図６】
2007226738.tif 000008
【図７】
2007226738.tif 000009